(57)【要約】      （修正有）【課題】液晶プロジェクター等の画像表示装置において、液晶パネルの角度特性を改善する光学補償フィルムを偏光板と一体となる構成とした場合の温度上昇によるコントラス低下を防止する。【解決手段】少なくとも１つの画像表示素子を有し、画像を表示する画像表示装置であって、前記少なくとも１つの画像表示素子２４の光入射側に、入射側基板３３と、該基板３３に密着して設けられた光学補償フィルム３５と、該光学補償フィルム３５に密着して設けられた偏光板３４とを有する。【選択図】図２
2005107363.tif 000002
【特許請求の範囲】
【請求項１】
少なくとも１つの画像表示素子を有し、画像を表示する画像表示装置であって、
前記少なくとも１つの画像表示素子の光入射側に、入射側基板と、該基板に密着して設けられた光学補償フィルムと、該光学補償フィルムに密着して設けられた偏光板とを有することを特徴とする画像表示装置。
【請求項２】
前記少なくとも１つの画像表示素子の光出射側に、出射側基板と、該基板に密着して設けられた光学補償フィルムと、該光学補償フィルムに密着して設けられた偏光板とを有することを特徴とする請求項１記載の画像表示装置。
【請求項３】
前記出射側基板と前記少なくとも１つの画像表示素子との間及び／又は前記出射側基板の光出射側に風を送る送風装置を有することを特徴とする請求項２記載の画像表示装置。
【請求項４】
前記入射側基板と前記少なくとも１つの画像表示素子との間及び／又は前記入射側基板の光入射側に風を送る送風装置を有することを特徴とする請求項１乃至３いずれかに記載の画像表示装置。
【請求項５】
少なくとも１つの画像表示素子を有し、画像を表示する画像表示装置であって、
前記少なくとも１つの画像表示素子の光出射側に、出射側基板と、該基板に密着して設けられた光学補償フィルムと、該光学補償フィルムに密着して設けられた偏光板とを有することを特徴とする画像表示装置。
【請求項６】
前記出射側基板と前記少なくとも１つの画像表示素子との間及び／又は前記出射側基板の光出射側に風を送る送風装置を有することを特徴とする請求項５記載の画像表示装置。
【請求項７】
前記光学補償フィルムが複屈折作用を有することを特徴とする請求項１乃至６いずれかに記載の画像表示装置。
【請求項８】
投射レンズと光変調素子と、該素子を照明する手段およびを有し、該照明手段に設けられた色分割手段によって分割された照明光は各色の該光変調素子を照明し、さらに光変調素子により変調された照明光を色合成手段によって合成し、該投射レンズによって拡大投影する投射型表示装置において、透明基板に貼り付けられてなる偏光板を備え、該透明基板と偏光板の間に光学補償フィルムを備え、該光学補償フィルムは複屈折を持ち、該光学補償フィルムの屈折率を示す屈折率楕円体の主軸と該透明基板の角度が光学補償シートの厚さ方向に変化しており、さらに該偏光板を冷却する冷却装置を有することを特徴とする画像表示装置。
【請求項９】
前記透明基板に貼り付けられた該偏光板とは反対側の該透明基板の面に該光学補償フィルムを備え、該偏光板を冷却する冷却装置を有することを特徴とする請求項８に記載の画像表示装置。
【請求項１０】
前記透明基板が一方のみ平面であって該透明基板の平面側に貼り付けられてなる偏光板を備え、該基板と偏光板の間に該光学補償フィルムを持った光学素子を備え、該偏光板を冷却する冷却装置を有することを特徴とする請求項８又は９に記載の画像表示装置。
【請求項１１】
該透明基板の光弾性定数がガラスより小さいことを特徴とする請求項８乃至１０いずれかに記載の画像表示装置。
【請求項１２】
該透明基板が結晶であって、該結晶の結晶構造が等軸晶系に属することを特徴とする請求項８乃至１１いずれかに記載の画像表示装置。
【請求項１３】
前記冷却手段はファンによる送風装置であることを特徴とする請求項８乃至１２いずれかに記載の画像表示装置。
【発明の詳細な説明】
【技術分野】
【０００１】
本発明は映像をスクリーン等に拡大投影する液晶プロジェクタにおいて、液晶のコントラストの角度特性を改善する光学補償フィルムを備えた偏光板の冷却に関する技術である。
【背景技術】
【０００２】
液晶プロジェクタの光学系において、光源から出射された白色光を波長選択性のある誘電体膜によって赤、緑、青の三色に分解し、単色用の液晶素子を３枚用いそれぞれの液晶素子を透過させた光をさらに誘電体膜によって合成しカラー画像を作り出し、投射レンズによってスクリーン等に拡大投影する３板式の液晶プロジェクタが知られている。液晶プロジェクタの光源としては超高圧水銀ランプなどの高輝度ランプが用いられており、ランプのリフレクタ表面は高温となる。
【０００３】
また液晶パネルも光源からの光に照らされて温度上昇する。液晶パネルでは偏光を用いており、液晶パネルの入射側と出射側には偏光板が対で使用される。偏光板はコストの問題からフィルムタイプが使用されるので透過率が結晶に比べ悪く、光を熱として吸収しやすい。また液晶の駆動によって液晶の透過光軸に対して偏波面が回転した光が偏光板を通過する時には偏光板で偏光が吸収され熱に変わる。
【０００４】
このように液晶パネル及び偏光板で吸収される熱量は外部より冷却を行い、信頼性の保てる温度以下にて使用しないと熱によって表示コントラストが低下することがあった。そこで図１３に示す特開平０１−３０２３８７号公報においてはダイクロプリズムの下部に一つの軸流ファンを置き、３色の液晶パネルを同時に冷却する方法や、図１４に示す特開平０５−０５３２００号公報では一つのシロッコファンとそのファンより吸入した外気を３色のパネルに送り込む気室から形成された液晶プロジェクタが開発されている。
【０００５】
従来の液晶プロジェクタにおいては特開昭６２−１０９０２４号公報に示しているように偏光板を液晶素子から離して配置し、液晶素子及び偏光板の温度が上昇しないように構成されている。
【０００６】
また、特開平１０−０３９１３８号公報、特開平１０−０３９１３９号公報や特開平１０−０４８５９０号公報にて開示されているように偏光板をガラスの支持基板に貼り付け、偏光板の熱による変形を防ぐ構成とするのが一般的である。
【０００７】
さらに特開２０００−３５２６１５号公報においては偏光板基板の材料に対しても言及している。最近では液晶素子の視野角特性に起因するコントラストむらを補正する光学補償フィルム（ＷＶ（ＷｉｄｅＶｉｅｗ）フィルム）を挿入し、さらにコントラストを上げる試みがなされている。ＷＶフィルムは、ＴＮ（ツイストネマチック）液晶の視野角特性を改善するハイブリット配向ディスコティック液晶フィルムである。図１５に示すように負の複屈折を持ったディスコティック構造単位の円盤面は透明支持基板とのなす角度が厚さ方向（光軸方向）において変化するように配向されており、ＴＮ液晶が持つプレチルト配向により発生する正の複屈折と、角度特性をキャンセルすることにより視野角特性を改善することができる。
【０００８】
詳細は特開平０８−０５０２０６号公報に開示されている。特開２０００−３５２６１５号公報では図１６に示すようにＷＶフィルムは透明基板に貼り付けられ単独で液晶パネル付近に挿入されている例が紹介されている。
【０００９】
しかしながら持ち運びが可能な液晶プロジェクタの開発において、照明光学系の小型化は必須の事項であって、照明光学系の小型化に伴って、偏光板及び液晶パネルの冷却に必要な風を通す隙間も少なく冷却が困難になってきている。そこで図１７に示すように特開２００１−２３５７４７号公報や直視型のディスプレイで一部採用されている偏光板と光学補償フィルムを一体とした構成が部品点数を減らすことができ、なおかつ冷却スペースを狭めることがないため有効である。しかしながら、前述したように液晶プロジェクタにおいては偏光板の構成は熱問題と深くかかわっており、それら熱問題が充分議論されてはいない。
【特許文献１】特開平０１−３０２３８７号公報
【特許文献２】特開平０５−０５３２００号公報
【特許文献３】特開昭６２−１０９０２４号公報
【特許文献４】特開平１０−０３９１３８号公報
【特許文献５】特開平１０−０３９１３９号公報
【特許文献６】特開平１０−０４８５９０号公報
【特許文献７】特開２０００−３５２６１５号公報
【特許文献８】特開平０８−０５０２０６号公報
【特許文献９】特開２００１−２３５７４７号公報
【発明の開示】
【発明が解決しようとする課題】
【００１０】
このように、液晶プロジェクタにおける液晶パネル及び偏光板の冷却に関して、液晶パネルのコントラストの角度特性を改善する光学補償フィルムを偏光板と一体となる構成とした場合の冷却に関する問題を解決するものである。
【課題を解決するための手段】
【００１１】
上記の課題を解決するために、本願発明の画像表示装置は、少なくとも１つの画像表示素子を有し、画像を表示する画像表示装置であって、前記少なくとも１つの画像表示素子の光入射側に、入射側基板と、該基板に密着して設けられた光学補償フィルムと、該光学補償フィルムに密着して設けられた偏光板とを有することを特徴としている。
【００１２】
ここで、前記少なくとも１つの画像表示素子の光出射側に、出射側基板と、該基板に密着して設けられた光学補償フィルムと、該光学補償フィルムに密着して設けられた偏光板とを有することが好ましい。さらに、前記出射側基板と前記少なくとも１つの画像表示素子との間及び／又は前記出射側基板の光出射側に風を送る送風装置を有することが好ましい。
【００１３】
また、前記入射側基板と前記少なくとも１つの画像表示素子との間及び／又は前記入射側基板の光入射側に風を送る送風装置を有することが好ましい。
【００１４】
また、本願発明の画像表示装置は、少なくとも１つの画像表示素子を有し、画像を表示する画像表示装置であって、前記少なくとも１つの画像表示素子の光出射側に、出射側基板と、該基板に密着して設けられた光学補償フィルムと、該光学補償フィルムに密着して設けられた偏光板とを有することを特徴としている。
【００１５】
ここで、前記出射側基板と前記少なくとも１つの画像表示素子との間及び／又は前記出射側基板の光出射側に風を送る送風装置を有することが好ましい。また、前記光学補償フィルムが複屈折作用を有することが好ましい。
【００１６】
また、本願発明の画像表示装置は、投射レンズと光変調素子と、該素子を照明する手段およびを有し、該照明手段に設けられた色分割手段によって分割された照明光は各色の該光変調素子を照明し、さらに光変調素子により変調された照明光を色合成手段によって合成し、該投射レンズによって拡大投影する投射型表示装置において、透明基板に貼り付けられてなる偏光板を備え、該透明基板と偏光板の間に光学補償フィルムを備え、該光学補償フィルムは複屈折を持ち、該光学補償フィルムの屈折率を示す屈折率楕円体の主軸と該透明基板の角度が光学補償シートの厚さ方向に変化しており、さらに該偏光板を冷却する冷却装置を有することを特徴としている。
【００１７】
ここで、該透明基板に貼り付けられた該偏光板とは反対側の該透明基板の面に該光学補償フィルムを備え、該偏光板を冷却する冷却装置を有することが好ましい。
【００１８】
また、前記透明基板が一方のみ平面であって該透明基板の平面側に貼り付けられてなる偏光板を備え、該基板と偏光板の間に該光学補償フィルムを持った光学素子を備え、該偏光板を冷却する冷却装置を有することが好ましい。また、該透明基板の光弾性定数がガラスより小さいことが好ましい。また、該透明基板が結晶であって、該結晶の結晶構造が等軸晶系に属することが好ましい。また、前記冷却手段はファンによる送風装置であることが好ましい。
【発明の効果】
【００１９】
上記のような構成にすることによりコントラストの良い液晶プロジェクタを提供することが可能となる。
【発明を実施するための最良の形態】
【００２０】
以下、図面を用いて好ましい実施例について詳細に説明する。
【実施例１】
【００２１】
本発明の第一の実施例である、投射型表示装置の上面図を図１に示す。１は光源であり、例えば高輝度超高圧ランプ、メタルハライドランプ等を含む。ランプを出た光はリフレクタ２により反射し、碁盤の目状に配置されたレンズ群の集まりである第一フライアイレンズ３に入力され、全反射ミラー５により反射された光はさらに第２フライアイレンズ４により集光された各光束は偏光変換素子４に入射し、偏光方向がそろえられた光は、コンデンサレンズ７により集光され次に青周波数帯域を反射するダイクロイックミラー８に導かれる。
【００２２】
光路長を短くする効果のある凹レンズ１０を透過した青色光は全反射ミラー１１により反射させられ、フィールドレンズ２０及び入射側偏光板２３を透過し青色パネル２６に到達する。青反射ダイクロ８を透過した光は緑周波数帯域を反射するダイクロイックミラー１２によって緑光と赤光に分離される。反射された緑色光はフィールドレンズ１９及び入射側偏光板２２を透過し緑色パネル２５に到達する。透過した赤色光は赤透過ダイクロイックフィルタによって不要な光を除去され、フィールドレンズ１４、１８、リレーレンズ１６、全反射ミラー１５，１６によって赤入射偏光板２１を透過し、赤色パネル２４に到達する。液晶パネルに到達した３色の＿光は液晶パネル２４，２５，２６にて画像信号に対応した光強度に変調された後パネル透過し、出射側偏光板２７、２８、２９を透過し、ダイクロイック膜を蒸着したクロスプリズム３０で色合成される。さらにプリズム２９を出射した光は投射レンズ３１によってスクリーン上に拡大投影される。これらの光学系は照明光学ボックス３２に取り付けられており、入射側偏光板２１，２２，２３及び出側偏光板２７，２８，２９及び液晶パネル２４，２５，２６部分には風通しが良くなるような空間が開けられており、さらに照明光学ボックス３２の上部もしくは下部に冷却用のファンもしくは送風ダクトが取り付け可能となっている。
【００２３】
次に本発明における偏光板及びパネルの概略図を図２に示す。偏光板はフィールドレンズ１８，１９，２０及びプリズム３０から離した構成にした場合の図である。液晶パネル入射側の基板３３において、液晶パネル２４とは反対側の面に入射側用ＷＶフィルム３５を貼り付ける。さらにＷＶフィルム３５の上に偏光板３４を貼り付ける。同様に液晶パネル出射側の基板３６においても液晶パネルとは反対側の面に出射側用ＷＶフィルム３７を貼り付ける。さらにＷＶフィルム３７の上に偏光板３８を貼り付ける。
【００２４】
これにより偏光板がＷＶフィルム等で覆われることなく、偏光板が外気にさらされる構成となる。さらに偏光板表面に風があたるような例えば軸流ファンやシロッコファン３９で直接冷却される。また、導風構造を作りシロッコファンからの風を送り込む構造であっても良い。
【００２５】
ここで、ＷＶフィルムは、ＴＮ（ツイストネマチック）液晶の視野角特性を改善するハイブリット配向ディスコティック液晶フィルムである。図１５に示すように、負の複屈折を持ったディスコティック構造単位の円盤面は透明支持基板とのなす角度が厚さ方向（光軸方向）において変化するように配向されており（厚さ方向の位置が変化すると円盤面と透明支持基盤とのなす角度が変化する、言い換えると、厚さ方向に関して互いに位置が異なる２つの点において、円盤面と透明支持基盤とのなす角度が互いに異なる）、ＴＮ液晶が持つプレチルト配向により発生する正の複屈折と、角度特性をキャンセルすることにより視野角特性を改善することができる。このＷＶフィルムに関する記載は後述の実施例に関して適用可能である。
【実施例２】
【００２６】
図３に示すように液晶パネルの入射側の透明基板３３において、液晶パネル２４とは反対側の面に入射側ＷＶフィルム４０を貼り付け、液晶パネル２４側の面に偏光板４１を貼り付け、同様に液晶パネル出射側の透明基板３６においても液晶パネル２４側の面にＷＶフィルム４２を貼り付け、液晶パネル２４側の面に偏光板４２を貼りつけても良い。この構成にすることにより、熱は図２で示したようにＷＶフィルムを介することなく図３のように透明基板３３，３６に直接熱が伝わるため、熱伝導性の良い透明基板を用いた時には熱が効果的に伝わり有利となる。導風構造においては、ＷＶフィルムでの熱吸収はわずかであるので、偏光板及び液晶パネルを積極的に冷却するように導風板を取り付けることが可能である。
【実施例３】
【００２７】
図４にはＷＶフィルムを入射側のみに使用する場合について述べる。これにより出側偏光板は従来の構成のまま単独で基板に貼り付けることが可能であり、また出側偏光板４４を貼り付ける基板４５は色合成プリズムであっても良い。このとき液晶パネル２４の入射側の基板４６において、ＷＶフィルムを液晶パネル２４とは反対の面に入射側用ＷＶフィルム４７及び出射側用ＷＶフィルム４８の２枚を貼り付けた後、その上から入射側偏光板４９を貼り付ける。２枚重ねた状態でＷＶフィルムの視野角改善効果にはほとんど変化がないことが報告されている。これにより偏光板のがＷＶフィルム等で覆われることなく、偏光板が外気にさらされる構成となる。さらに偏光板表面に風があたるような例えば軸流ファンやシロッコファン３９で直接冷却される。また、導風構造を作りシロッコファンからの風を送り込む構造であっても良い。さらに図４の構成にくらべて液晶パネルを挟んでいる偏光板４４と４９の間に配置されている基板の枚数が減るため、熱によって基板に発生する微少な熱応力によるコントラストの変化も最小に押さえることが可能である。以上は入射側にＷＶフィルムを２枚用いた場合について述べたが、同様に出側偏光板においてもＷＶフィルムを２枚とする構成も可能である。
【実施例４】
【００２８】
図４で示した基板４６において２枚のＷＶフィルムを液晶パネル２４側に移し、偏光板４９を基板４６に直接貼り付けることもできる。これによりＷＶフィルムを介することなく直接熱偏光板４９から基板４６に伝わるため、偏光板４９の冷却にとって熱伝導性の良い透明基板を用いた時は有利となる。導風構造においては、ＷＶフィルムでの熱吸収はわずかであるので、偏光板及び液晶パネルを積極的に冷却するように導風板を取り付けることが可能である。
【実施例５】
【００２９】
図４で示した構成は図６に示すように平凸形状をしたフィールドレンズ５０の凸面は液晶パネル側、平らな面は光源側になるように配置し、平凸面に入射側用ＷＶフィルム４７，出射側用ＷＶフィルム４８  の２枚を貼り付け、その上から偏光板４３を貼り付けても良い。さらに偏光板表面に風があたるような例えば軸流ファンやシロッコファンで直接冷却される。また、導風構造を作りシロッコファンからの風を送り込む構造であっても良い。
【実施例６】
【００３０】
実施例１，２は偏光板及びＷＶフィルムのみの構成であったが、照明光学系の構成上１／２波長板を用いる場合例えば図７に示すように液晶パネルの入射側及び出射側に配置された透明基板において、透明基板３３の液晶パネルとは反対側にＷＶフィルムを貼り付け、さらに１／２波長板５１を貼り付け、さらにその上に偏光板３４を貼り付ける。これにより偏光板の面は覆われることなく、冷却装置によって直接冷却風を吹き付けることによって冷却することができる。出側の基板３６に関しても同様に透明基板３６の液晶パネルとは反対側にＷＶフィルム３７を貼り付け、さらに１／２波長板５２を貼り付け、さらにその上に偏光板３８を貼り付ける。さらに図８においては液晶パネルの入射側及び出射側に配置された透明基板３３の液晶パネル側に１／２波長板５１を貼り付け、その上にＷＶフィルム３５を貼り付け、次に液晶パネルとは反対側の面に偏光板３４を貼り付ければ良い。同様に液晶パネルの出射側に配置された透明基板３６の液晶パネル側に１／２波長板５２を貼り付け、その上にＷＶフィルム３７を貼り付け、次に液晶パネルとは反対側の面に偏光板３８を貼り付ければ良い。これにより偏光板の面は覆われることなく、冷却装置によって直接冷却風を吹き付けることによって冷却することができ、さらに偏光板からの熱は直接透明基板に伝わるので、より効率良く冷却する事が可能である。次にＷＶフィルムを入射側もしくは出射側に２枚用いる場合では図９に示すように基板４６に入射側ＷＶフィルム４８、出射側ＷＶフイルム４７、１／２波長板５３、偏光板４９の順番に貼り付ける。これにより偏光板４９が外気にさらされる構成となる。また、図１０に示すように基板４６の液晶パネル側に入射側ＷＶフィルム４８、出射側ＷＶフィルム４７、１／２波長板を貼り付け、液晶とは反対の面に偏光板４９を貼り付ける構成とすることで偏光板の冷却を効果的に行うことが可能となる。偏光板表面に風があたるような例えば軸流ファンやシロッコファン３９で直接冷却される。また、導風構造を作りシロッコファンからの風を送り込む構造であっても良い。
【実施例７】
【００３１】
第１〜第３の実施例においては偏光板面を覆うような別の光学部材を貼り付けないようにし、偏光板面に冷却装置により直接風を送ることにより偏光板の冷却を促していたが、偏光板面にＷＶフィルムを貼り付ける構成にする場合には図１１に示すように照明光有効部５６より大きい形状をしたＷＶフィルム５５の大きさに対してさらに充分大きな偏光板５４を基板５３にはりつけ、偏光板部分に送風することによりいくらか冷却を促すこともできる。偏光板中心部で発生した熱は時間と共に偏光板全体で均一化され、ＷＶフィルムの貼られていない部分から熱は逃げて行くことが期待できる。
【実施例８】
【００３２】
実施例１〜７において、透明基板として用いられる材質としてはは光弾性定数が小さいガラスもしくは結晶が望ましい。液晶パネルの入射側に配置された偏光板と出射側に配置された偏光板によってクロスニコルの光学系を形成している。透明基板自体が持っている複屈折によってコントラストが劣化したり、色むらとなって画面上に投影されてしまう。これはＰＳ変換素子と出側偏光板の間のどこにそのような要素があっても起こりうる。よって用いられる光学部材はなるべくなら光弾性定数の小さいものが好ましい。光弾性定数が小さい光学部材を用いることにより、熱応力や機械応力によって発生する複屈折による光洩れを小さくすることができる。さらに結晶を用いる場合は斜入射した場合でも偏光特性の違いが少ない等軸晶系に属する蛍石などが有効である。特に斜入射に関してはサファイアなど一軸性の結晶で基板を製作した場合、厚さが厚くなればなるほど、斜入射に対する光洩れは大きくなっていく。しかしながら蛍石などの等軸晶系に属する結晶はどの結晶軸からみても屈折率は同じであるので、厚さが厚くなっても光洩れは小さく有利である。一般に基板の厚みを厚くすることにより、熱容量が増大しより偏光板で発生する熱量を吸収する事ができるので等軸晶系に属する結晶を用いる方が有利である。
【実施例９】
【００３３】
実施例１〜８において、ＷＶフィルム及び偏光板、１／２波長板を積層する手法について述べてきたが、それぞれの素子は通常、図１８に示すようにＴＡＣ（トリアセチルセルロースＴｒｉａｃｅｔｙｌｃｅｌｌｕｌｏｓｅ）層６８によって挟まれ、強度を保っている。よって積層する際にはそれぞれＴＡＣ層に挟まれた素子同士を接着することになるため、厚さが厚くなり熱がこもりやすく冷却風６７による効果が充分伝わらない問題があった。そこで、それらの光学素子を積層する場合には、ＴＡＣ層をなるべく省略することにより薄型化を図ることができ、これにより冷却効率が向上することが期待できる。実際には図１８に示した従来例においてＷＶフィルムと偏光板を接合する際に互いに接着する面のどちらか１面のＴＡＣ層６８もしくは両方のＴＡＣ層を省略した一体のフィルムを作製する。省略した図を図１２に示す。強度が保てる最小限のＴＡＣ層のみを設けることにより、薄型化が可能となり冷却風６０による冷却効率が向上する。
【００３４】
以上述べてきたような実施例によれば、液晶プロジェクタにおける液晶パネル及び偏光板の冷却に関して、液晶パネルのコントラストの角度特性を改善する光学補償フィルムを偏光板と一体となる構成とした場合の冷却に関する問題を解決するため、偏光板及び光学補償フィルムであるＷＶフィルムを貼り付ける構成と、その基板の材料、さらに偏光板の冷却方法について述べてきた。これによりコントラストの良い液晶プロジェクタを提供することが可能となる。
【図面の簡単な説明】
【００３５】
【図１】この発明の実施例１〜９における液晶プロジェクタの上面図である。
【図２】この発明の実施例１における液晶プロジェクタ液晶パネル部の側面図である。
【図３】この発明の実施例２における液晶プロジェクタ液晶パネル部の側面図である。
【図４】この発明の実施例３における液晶プロジェクタ液晶パネル部の側面図である。
【図５】この発明の実施例４における液晶プロジェクタ液晶パネル部の側面図である。
【図６】この発明の実施例５における液晶プロジェクタ液晶パネル部の側面図である。
【図７】この発明の実施例６における液晶プロジェクタ液晶パネル部の側面図である。
【図８】この発明の実施例６における液晶プロジェクタ液晶パネル部の側面図である。
【図９】この発明の実施例６における液晶プロジェクタ液晶パネル部の側面図である。
【図１０】この発明の実施例６における液晶プロジェクタ液晶パネル部の側面図である。
【図１１】この発明の実施例７における偏光板及び偏光板基板部の斜視図である。
【図１２】この発明の実施例９における偏光板及び偏光板基板部の断面図である。
【図１３】従来例におけるパネル部の冷却方法である。
【図１４】従来例におけるパネル部の冷却方法である。
【図１５】従来例における視野角改善フィルム（ＷＶフィルム）の構造図である。
【図１６】従来例における視野角改善フィルム（ＷＶフィルム）の使用例である。
【図１７】従来例における視野角改善フィルム（ＷＶフィルム）の使用例である。
【図１８】従来例における偏光板および基板部分の断面図である。
【符号の説明】
【００３６】
１  光源
２  リフレクタ
３  フライアイレンズ
４  フライアイレンズ
５  ミラー
６  ＰＳ変換素子
７  コンデンサレンズ
８  青反射ダイクロイックミラー
９  凹レンズ
１０  凹レンズ
１１  青反射ミラー
１２  緑反射ダイクロイックミラー
１３  赤透過ダイクロイックミラー
１４  フィールドレンズ
１５  赤反射ミラー
１６  リレーレンズ
１７  赤反射ミラー
１８  赤フィールドレンズ
１９  緑フィールドレンズ
２０  青フィールドレンズ
２１  赤入射側偏光板
２２  緑入射側偏光板
２３  青入射側偏光板
２４  赤液晶パネル
２５  緑液晶パネル
２６  青液晶パネル
２７  赤出側偏光板
２８  緑出側偏光板
２９  青出側偏光板
３０  色合成プリズ
３１  投射レンズ
３２  光学ボックス
３３  入射側透明基板
３４  入射側偏光板
３５  入射側ＷＶフィルム
３６  出射側透明基板
３７  出射側ＷＶフィルム
３８  出射側偏光板
３９  軸流ファン
４０  入射側ＷＶフィルム
４１  入射側偏光板
４２  出射側ＷＶフィルム
４３  出射側偏光板
４４  出射側偏光板
４５  出射側透明基板
４６  入射側透明基板
４７  出射側ＷＶフィルム
４８  入射側ＷＶフィルム
４９  入射側偏光板
５０  １／２波長板
５１  １／２波長板
５２  １／２波長板
５３  １／２波長板
５４  偏光板
５５  ＷＶフィルム
５６  光線有効部
５７  基板
５８  接着剤層
５９  保護フィルム
６０  冷却風
６１  ＴＡＣ層
６２  ＷＶ層
６３  偏光層
６４  基板
６５  接着層
６６  保護フィルム
６７  冷却風
６８  ＴＡＣ層
６９  ＷＶフィルム
７０  変更層
【図１】
2005107363.tif 000003
【図２】
2005107363.tif 000004
【図３】
2005107363.tif 000005
【図４】
2005107363.tif 000006
【図５】
2005107363.tif 000007
【図６】
2005107363.tif 000008
【図７】
2005107363.tif 000009
【図８】
2005107363.tif 000010
【図９】
2005107363.tif 000011
【図１０】
2005107363.tif 000012
【図１１】
2005107363.tif 000013
【図１２】
2005107363.tif 000014
【図１３】
2005107363.tif 000015
【図１４】
2005107363.tif 000016
【図１５】
2005107363.tif 000017
【図１６】
2005107363.tif 000018
【図１７】
2005107363.tif 000019
【図１８】
2005107363.tif 000020